(57)【要約】【課題】ＤＶＤ＋ＲＷ／＋Ｒのプレグルーブに書かれているアドレス等の情報を正確に検出する。【解決手段】光ディスク８に半導体レーザ１からの光束を、対物レンズ７を介して照射し、光ディスク８からの反射光を、対物レンズ６、ホログラム４、グレーティング３を介して受光素子９に導き光ディスク８の情報を再生する光ピックアップ装置において、ホログラム４の受光領域として、プッシュプル信号を検出するための２つの領域Ｃ，Ｄとフォーカスエラー信号を検出するための１つの領域ＡＢの計３つの領域を形成し、領域Ｃ，Ｄにおいて検出するプッシュプル信号を、光ディスク８からのプッシュプル信号全体の５０％より大きくする。【選択図】    図１
2004295925.tif 000002
【特許請求の範囲】
【請求項１】
光ディスクに対して半導体レーザからの光束を対物レンズを介して照射し、光ディスクからの反射光を、対物レンズおよび光束分離手段を介して受光素子に導き、光ディスクの情報を再生する光ピックアップ装置であって、
前記光束分離手段の受光領域として、プッシュプル信号を検出するための２つの領域とフォーカスエラー信号を検出するための１つの領域とを備え、前記プッシュプル信号を検出するための２つの領域において検出するプッシュプル信号を、前記光ディスクからのプッシュプル信号全体の５０％より大きくしたことを特徴とする光ピックアップ装置。
【請求項２】
３つの領域を分割するための分割線を３つの直線と１つの曲線により構成したことを特徴とする請求項１記載の光ピックアップ装置。
【請求項３】
３つの領域を分割するための分割線を３つの直線より構成し、かつ、それぞれの直線のなす角の少なくとも２つが９０°より大きいことを特徴とする請求項１記載の光ピックアップ装置。
【請求項４】
前記光束分離手段はホログラム素子であることを特徴とする請求項１，２または３記載の光ピックアップ装置。
【請求項５】
請求項１〜４のいずれか１項記載の光ピックアップ装置を搭載したことを特徴とする光ディスクドライブ装置。
【発明の詳細な説明】
【０００１】
【発明の属する技術分野】
本発明は、光カード装置等の光ピックアップ装置および光ディスクドライブ装置に関する。
【０００２】
【従来の技術】
図７は光ディスクドライブ装置の光ピックアップ装置に係る光学系を示す概略図であり、１は半導体レーザ、２はガラス板、３はガラス板２における半導体レーザ１側の面に形成された３ビーム生成用のグレーティング、４はガラス板２におけるグレーティング３の形成面に対して反対面に形成されたホログラム、５はホロピックアップ、６はコリメートレンズ、７は対物レンズ、８は光ディスク、９は受光素子を示す。
【０００３】
図８はホロピックアップの内部構成を示す側面図であり、基板上に半導体レーザ１および受光素子９を搭載し、さらに、半導体レーザ１に対向してガラス板２，グレーティング３およびホログラム４を配置して、ユニット化したものである。
【０００４】
光源としての半導体レーザ１から出射された出射光は３ビーム用の回折格子であるグレーティング３により、メインビーム（０次光）と２つのサブビーム（±１次光）に分離された後、ホログラム４に達する。そしてこのホログラム４を透過する光（０次回折光）だけがコリメートレンズ６により平行光になり、対物レンズ７を通過した後に光ディスク８上に集光される。光ディスク８で反射された戻り光は、メインビーム・サブビーム共に再び対物レンズ７、コリメートレンズ６を通過した後、ホログラム４に導かれる。そして今度はこのホログラム４で回折された光（１次回折光）だけが受光素子９に入射して各種信号を生成するように構成されている。
【０００５】
図９はホログラム４およびホログラム４上での光ディスク８からの反射光１０の様子を示す説明図である。ホログラム４は２つの分割線によってＡＢ，Ｃ，Ｄの３つの領域に分割されている。ホログラム４上の反射光１０における図中斜線部分はプッシュプル信号成分がある部分である。プッシュプル信号の詳細については特許文献１に記載されている。
【０００６】
図１０は受光素子９および受光素子９上での光ディスク８からの反射光１０の様子を示す説明図である。
【０００７】
受光素子９はａ〜ｈの８つの受光面を持ち、図２のＡＢ，Ｃ，Ｄの３つの領域で回折された光束と、この光束が到達する受光面との関係は以下の通りである。
ＡＢからのメインビームの回折光は受光面ａと受光面ｂの間に、
ＡＢからのサブビームの回折光は各々受光面ａと受光面ｂの外側に（つまり受光されない）、
Ｃからのメインビームの回折光は受光面ｃに、
Ｃからのサブビームの回折光は各々受光面ｅと受光面ｇに、
Ｄからのメインビームの回折光は受光面ｄに、
Ｄからのサブビームの回折光は各々受光面ｆと受光面ｈに、受光される。
【０００８】
ここで、受光面ａ〜ｈから出力される信号を同じａ〜ｈの記号を用いて各信号を表現すると、
フォーカスエラー信号（ＦＥＳ）は、
ＦＥＳ＝ａ−ｂ
トラックエラー信号（ＴＥＳ）は、
ＴＥＳ＝（ｃ−ｄ）−α（（ｅ＋ｇ）−（ｆ＋ｈ））
トラッククロス信号（ＴＣＳ）は、
ＴＣＳ＝（ｃ＋ｄ）−α（（ｅ＋ｇ）＋（ｆ＋ｈ））
レンズポジション信号（ＬＰＳ）は、
ＬＰＳ＝（ｃ−ｄ）＋α（（ｅ＋ｇ）−（ｆ＋ｈ））
プッシュプル信号（ＰＰＳ）は、
ＰＰＳ＝ｃ−ｄ
情報再生信号（ＲＦＳ）は、
ＲＦＳ＝ａ＋ｂ＋ｃ＋ｄ
と表すことができる。
【０００９】
図９の斜線部分に示すプッシュプル信号（ＰＰＳ）において、そのうちの領域Ｃ，Ｄに入る割合は全体の５０％である。ＣＤ−Ｒ／ＲＷのプレグルーブから得られるアドレス等の情報をプッシュプル信号から検出しているが、ＣＤ−Ｒ／ＲＷの場合は全体の５０％で十分な量である。
【００１０】
【特許文献１】
特公平４−３０１３号公報
【特許文献２】
特開平１１−３５３６９８号公報
【００１１】
【発明が解決しようとする課題】
しかし、近年ＣＤ−Ｒ／ＲＷを大容量化した記録媒体として、ＤＶＤ＋ＲＷ／＋Ｒが広く普及し始めている。ＤＶＤ＋ＲＷ／＋Ｒのプレグルーブは位相変調方式でＣＤ−Ｒ／ＲＷより高速に変調され蛇行しており、ＣＤ−Ｒ／ＲＷ同様プッシュプル信号を用いてプレグルーブに書かれているアドレス等の情報を読み取っている。ＣＤ−Ｒ／ＲＷのグルーブピッチ１．６μｍに対して、ＤＶＤ＋ＲＷ／＋Ｒのグルーブピッチは０．７４μｍしかないため、このプッシュプル信号は従来より非常に小さいものとなっている。変調が高速でしかも信号自体が小さくなっているため、従来と同じ方式ではプレグルーブに書かれているアドレス等の情報を正確に読み取ることが難しくなっている。
【００１２】
本発明は、このような問題点を解決し、特に、ＤＶＤ＋ＲＷ／＋Ｒのプレグルーブに書かれているアドレス等の情報を正確に検出することを実現した光ピックアップ装置および光ディスクドライブ装置を提供することを目的とする。
【００１３】
【課題を解決するための手段】
前記目的を達成するため、請求項１に係る発明は、光ディスクに対して半導体レーザからの光束を対物レンズを介して照射し、光ディスクからの反射光を、対物レンズおよび光束分離手段を介して受光素子に導き、光ディスクの情報を再生する光ピックアップ装置であって、前記光束分離手段の受光領域として、プッシュプル信号を検出するための２つの領域とフォーカスエラー信号を検出するための１つの領域とを備え、前記プッシュプル信号を検出するための２つの領域において検出するプッシュプル信号を、前記光ディスクからのプッシュプル信号全体の５０％より大きくしたことを特徴とする。このような構成により、ＤＶＤ＋ＲＷ／＋Ｒのプレグルーブに書かれているアドレス等の情報を正確に検出することが可能になる。
【００１４】
請求項２に係る発明は、請求項１に係る発明において、３つの領域を分割するための分割線を３つの直線と１つの曲線により構成したことを特徴とする。このような構成により、従来から使用している信号検出用の回路を使うことが可能になる。
【００１５】
請求項３に係る発明は、請求項１に係る発明において、３つの領域を分割するための分割線を３つの直線より構成し、かつ、それぞれの直線のなす角の少なくとも２つが９０°より大きいことを特徴とする。このような構成により、光束分離手段の構成を簡単に出来るので、光束分離手段をホログラム素子以外、例えばプリズム等を使うことも可能になる。
【００１６】
請求項４に係る発明は、請求項１，２または３に係る発明において、前記光束分離手段はホログラム素子であることを特徴とする。このような構成により、ホログラム素子とすることによって安価な光ピックアップ装置を提供することが可能になる。
【００１７】
請求項５に係る発明は、光ディスクドライブ装置において、請求項１〜４のいずれか１項記載の光ピックアップ装置を搭載したことを特徴とする。このような構成により、信頼性の高い光ディスクドライブ装置を提供することが可能になる。
【００１８】
【発明の実施の形態】
以下、本発明の実施形態について、図面を参照しながら詳細に説明する。なお、図７に示す部材と同一の部材については同一の符号を付すことによって、詳細な説明は省略した。
【００１９】
図１は本発明の第１の実施形態における光ピックアップ装置に設けたホログラムの構成および反射光の位置を示す説明図である。
【００２０】
第１の実施形態の装置は、図７に示す光ピックアップ装置におけるホログラム４に対して、光ディスク８からの反射光１０の光軸位置を、プッシュプル信号を検出するための２つの領域Ｃ，Ｄ側に大きくずらしたものである。このためプッシュプル信号（ＰＰＳ）は、図９においては、領域ＡＢと領域Ｃ，Ｄとの分割線と、領域Ｃと領域Ｄとの分割線との交点が、反射光１０の光軸中心に略一致するように、反射光１０が照射されているため、反射光１０のうち斜線部分に出るが、そのうちの領域Ｃ，Ｄに入る割合は全体の５０％程度である。一方、図１に示す第１の実施形態によれば、反射光１０の光軸中心の位置が、領域ＡＢと領域Ｃ，Ｄとの分割線と、領域Ｃと領域Ｄとの分割線との交点に対して領域Ｃ，Ｄ側に偏倚しているため、領域Ｃ，Ｄに入る割合は全体の５０％よりも大きくなる。
【００２１】
このように構成したことにより、プッシュプル信号を検出するために必要な光量を確保することができる。特に、領域Ｃ，Ｄに入るプッシュプル信号を光ディスク８からのプッシュプル信号全体の５０％より大きくしたことによって、ＤＶＤ＋ＲＷ／＋Ｒのプレグルーブに書かれているアドレス等の情報を正確に検出することが可能となる。
【００２２】
ところで、図１に示すように反射光１０をホログラム４に照射させた場合、領域Ｃ，Ｄに入る光量が大きく、領域ＡＢに入る光量が小さくなる。その結果、従来から使用している信号検出用の回路の動作が正常に行われない場合が生ずる可能性もある。例えば、領域Ｃ，Ｄに入る光量が非常に大きくプッシュプル信号を生成する回路が飽和してしまったり、領域ＡＢに入る光量が非常に小さくフォーカスエラー信号が小さくなってしまったりする、といった問題が生ずる可能性もある。このような問題点に対して鑑みなされたものが第２実施形態である。
【００２３】
図２は本発明の第２の実施形態における光ピックアップ装置に設けたホログラムの構成および反射光の位置を示す説明図であり、第２の実施形態の装置は、図１に示す光ピックアップ装置におけるホログラム４の代わりに、図２に示すホログラム２１をガラス板２に形成したものである。
【００２４】
図２に示すホログラム２１は、図１に示すホログラム４の中央部分、すなわち２つの分割線の交点部分における領域ＡＢと領域Ｃ，Ｄとの境界線の一部を、領域Ｃ，Ｄの方に、図中斜線の領域が領域ＡＢとならない程度に湾曲させている。つまり、３つの領域を分割するための分割線を３つの直線と１つの曲線により構成したものである。
【００２５】
このように構成された第２実施形態においては、図１に示す第１実施形態よりも、領域ＡＢに入る光量を増加させることが可能となるため、領域Ｃ，Ｄに入る光量と領域ＡＢに入る光量を略同等にし、しかもプッシュプル信号のみを大きくすることが可能である。その結果、光量不足によってフォーカスエラー信号が検出できなくなるといったことが防止できる。
【００２６】
図３は本発明の第３の実施形態における光ピックアップ装置に設けたホログラムの構成および反射光の位置を示す説明図であり、第３の実施形態の装置は、図２に示す第２実施形態の光ピックアップ装置におけるホログラム２１の代わりに、図３に示すホログラム２２をガラス板２に形成したものである。
【００２７】
図３に示すホログラム２２は、図２に示すホログラム２１において領域ＡＢと領域Ｃ，Ｄとを分割する分割線の湾曲部と直線部との交点を中心として、直線部を図中矢印方向に回転した位置に設定したものである。
【００２８】
このように構成したことにより、図２に示すホログラム２１よりもプッシュプル信号を検出する領域を増やすことが可能になる。
【００２９】
ここで、前記直線部が図中斜線部分の接線となるように設定するか、あるいは斜線領域と領域Ｃ，Ｄとの接点Ｐ，Ｑを通るように設定すると、斜線領域がすべて領域Ｃ，Ｄに含まれるようになり、プッシュプル信号が良好に検出可能になるとともに、領域ＡＢに入る光量も確保できるようになる。
【００３０】
図４は本発明の第４の実施形態における光ピックアップ装置に設けたホログラムの構成および反射光の位置を示す説明図であり、第４の実施形態の装置は、図１に示すように反射光１０が照射されたホログラム４の代わりに、図３に示すホログラム２３をガラス板２に形成したものである。
【００３１】
ホログラム２３は、図１に示すホログラム４における領域ＡＢと領域Ｃ，Ｄとの交点位置を、反射光１０の光軸に対して領域Ｃ，Ｄ側に偏倚させた位置に設定し、交点から３本の直線としての分割線によって図中斜線部分の領域全体に対して領域Ｃ，Ｄにおける図中斜線部分の占める割合が５０％より大きくなるように分割し、さらに、領域Ｃと領域Ｄとの分割線に対して他の２本が９０°より大きい角度θ１，θ２の方向に設定したものである。
【００３２】
このように構成したことにより、図１に示すホログラム４よりもプッシュプル信号を検出する領域を増やすことが可能になり、分割線を直線のみで構成しているが、図３の場合と同じ効果が見込める。
【００３３】
ここで、前記他の２本の分割線は図中斜線部分の接線となるように、角度θ１，θ２を設定すると、斜線領域が領域Ｃ，Ｄに含まれるようになり、プッシュプル信号が良好に検出可能になるとともに、領域ＡＢに入る光量も確保できるようになる。
【００３４】
以上、本発明の実施形態について説明してきたが、本発明に係る実施形態は上述したものに限るものではない。例えば、上述した実施形態においては光束分離手段としてホログラム素子を用いて説明をしたが、ホログラム素子の代わりに屈折を利用したプリズム、レンズ等の光学素子を適用しても構わない。特に、図１、図４に示す構成は、分割線を直線のみで構成しているのでプリズムを容易に利用することが可能である。
【００３５】
ところで、近年、大容量の情報を記憶する光ディスクとしてＤＶＤ（Ｄｉｇｉｔａｌ  Ｖｅｒｓａｔｉｌｅ  Ｄｉｓｃ）が普及している。ＤＶＤ−ＲＡＭ・ＷＯ，ＤＶＤ−Ｒ，ＤＶＤ＋ＲとＤＶＤ−ＲＡＭ，ＤＶＤ−ＲＷ，ＤＶＤ＋ＲＷディスクは、書き込みが可能な（記録可能な）ＤＶＤである。前者のＤＶＤ−ＲＡＭ・ＷＯ，ＤＶＤ−Ｒ，ＤＶＤ＋Ｒは、１回だけ書き込みが可能なＤＶＤである（なお、ＤＶＤ  Ｗｒｉｔｅ  Ｏｎｃｅともいわれている）。また、後者のＤＶＤ−ＲＡＭ，ＤＶＤ−ＲＷ，ＤＶＤ＋ＲＷは、複数回の書き込みが可能なＤＶＤである。これらのＤＶＤ＋ＲやＤＶＤ＋ＲＷディスク等、すなわち、光ディスクは、次の図８のような光ディスクドライブ装置によって情報の記録再生が行われる。
【００３６】
図５は、光ディスクドライブについて、その要部構成の一例を示す機能ブロック図である。図において、５１は光ディスク、５２はスピンドルモータ、５３は光ピックアップ装置、５４はモータドライバ、５５はリードアンプ、５６はサーボ手段、５７はＤＶＤデコーダ、５８はＡＤＩＰデコーダ、５９はレーザコントローラ、６０はＤＶＤエンコーダ、６１はＤＶＤ−ＲＯＭエンコーダ、６２はバッファＲＡＭ、６３はバッファマネージャ、６４はＤＶＤ−ＲＯＭデコーダ、６５はＡＴＡＰＩ／ＳＣＳＩインターフェース、６６はＤ／Ａコンバータ、６７はＲＯＭ、６８はＣＰＵ、６９はＲＡＭを示し、ＬＢはレーザ光、Ａｕｄｉｏはオーディオ出力信号を示す。
【００３７】
図５において、矢印はデータが主に流れる方向を示しており、また、図を簡略化するために、図５の各ブロックを制御するＣＰＵ６８には、太線のみを付けて各ブロックとの接続を省略している。ＲＯＭ６７には、ＣＰＵ６８にて解読可能なコードで記述された制御プログラムが格納されている。なお、光ディスクドライブの電源がオン状態になると、前記制御プログラムは図示しないメインメモリにロードされ、ＣＰＵ６８はそのプログラムにしたがって上述した各部の動作を制御するとともに、制御に必要なデータ等を一時的にＲＡＭ６９に保存する。
【００３８】
光ディスクドライブ装置の構成と動作は次の通りである。
【００３９】
光ディスク５１はスピンドルモータ５２によって回転駆動される。このスピンドルモータ５２は、モータドライバ５４とサーボ手段５６により、線速度または角速度が一定になるように制御される。この線速度または角速度は、階段的に変更することが可能である。
【００４０】
光ピックアップ装置５３は、図１〜図４に示す構成およびフォーカスアクチュエータ、トラックアクチュエータ、受光素子９（図７参照）およびポジションセンサを内蔵しており、レーザ光ＬＢを光ディスク５１に照射する。また、光ピックアップ装置５３は、シークモータによってスレッジ方向への移動が可能である。これらのフォーカスアクチュエータ、トラックアクチュエータ、シークモータは、受光素子とポジションセンサから得られる信号に基いて、モータドライバ５４とサーボ手段５６により、レーザ光ＬＢのスポットが光ディスク５１上における目的の場所に位置するように制御される。
【００４１】
そして、リード時には、光ピックアップ装置５３によって得られた再生信号が、リードアンプ５５で増幅されて２値化された後、ＤＶＤデコーダ５７に入力される。入力された２値化データは、このＤＶＤデコーダ５７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４２】
復調されたデータは、デインターリーブとエラー訂正の処理が行われる。その後、このデータは、ＤＶＤ−ＲＯＭデコーダ６４へ入力され、データの信頼性を高めるために、さらに、エラー訂正の処理が行われる。このように２回のエラー訂正の処理が行われたデータは、バッファマネージャ６３によって一旦バッファＲＡＭ６２に蓄えられ、セクタデータとして揃った状態で、ＡＴＡＰＩ／ＳＣＳＩインターフェース６５を介して、図示しないホストコンピュータへ一気に転送される。なお、音楽データの場合には、ＤＶＤデコーダ５７から出力されたデータが、Ｄ／Ａコンバータ６６へ入力され、アナログのオーディオ出力信号Ａｕｄｉｏとして取り出される。
【００４３】
また、ライト時には、ＡＴＡＰＩ／ＳＣＳＩインターフェース６５を通して、ホストコンピュータから送られてきたデータが、バッファマネージャ６３によって一旦バッファＲＡＭ６２に蓄えられる。その後ライト動作が開始されるが、この場合には、その前にレーザスポットを書き込み開始地点に位置させる必要がある。この地点は、ＤＶＤ＋ＲＷ／＋Ｒでは、予め光ディスク５１上にトラックの蛇行により刻まれているウォブル信号によって求められる。
【００４４】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００４５】
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ５８によって取り出される。また、このＡＤＩＰデコーダ５８によって生成される同期信号は、ＤＶＤエンコーダ６０へ入力され、光ディスク５１上の正確な位置へのデータの書き込みを可能にしている。バッファＲＡＭ６２のデータは、ＤＶＤ−ＲＯＭエンコーダ６１やＤＶＤエンコーダ６０において、エラー訂正コードの付加や、インターリーブが行われ、レーザコントローラ５９、光ピックアップ５３を介して、光ディスク５１に記録される。
【００４６】
また、ランドプリピットやプリピットからアドレス情報を得る構成であっても良い。
【００４７】
図６は光ディスクドライブを使用した情報処理装置の概略図である。情報処理装置は、主制御装置７０、インターフェース７１、記録装置７２、入力装置７３、表示装置７４、図５に示す構成の光ディスクドライブ装置７５などを備えている。主制御装置７０は、ＣＰＵ、マイクロコンピュータ、メインメモリなどを含んで構成され、情報処理装置の全体を制御する。
【００４８】
インターフェース７１は、光ディスクドライブ装置７５との双方向の通信インターフェースであり、ＡＴＡＰＩおよびＳＣＳＩ等の標準インターフェースに準拠している。インターフェース７１は、図５に示す光ディスクドライブ装置のインターフェース６５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００４９】
ハードディスクドライブ（ＨＤＤ）等の記録装置７２には、主制御装置７０のマイクロコンピュータで解読可能なコードで記述されたプログラムが格納されている。なお、情報処理装置の駆動電源がオン状態になると、前記プログラムは主制御装置７０のメインメモリにロードされる。
【００５０】
表示装置７４は、例えばＣＲＴ、液晶ディスプレイ（ＬＣＤ）またはプラズマディスプレイパネル（ＰＤＰ）などの表示部（図示省略）を備え、主制御装置７０からの各種情報を表示する。
【００５１】
入力装置７３は、例えばキーボード，マウスおよびポインティングデバイスなどのうち少なくとも１つの入力媒体（図示省略）を備え、ユーザから入力された各種情報を主制御装置７０に通知する。なお、入力媒体からの情報はワイヤレス方式で入力されても良い。また、表示装置７４と入力装置７３とが一体化したものとして、例えばタッチパネル付きＣＲＴなどがある。
【００５２】
また、情報処理装置はオペレーティングシステム（ＯＳ）を搭載している。そして、情報処理装置を構成する全てのデバイスはＯＳによって管理されているものとする。
【００５３】
【発明の効果】
以上、説明したように構成された本発明によれば、プッシュプル信号を検出するために必要な光量を確保することが可能になり、例えば、ＤＶＤ＋ＲＷ／＋Ｒのプレグルーブに書かれているアドレス等の情報を正確に検出することが可能となる。
【図面の簡単な説明】
【図１】本発明の第１の実施形態における光ピックアップ装置に設けたホログラムの構成および反射光の位置を示す説明図
【図２】本発明の第２の実施形態における光ピックアップ装置に設けたホログラムの構成および反射光の位置を示す説明図
【図３】本発明の第３の実施形態における光ピックアップ装置に設けたホログラムの構成および反射光の位置を示す説明図
【図４】本発明の第４の実施形態における光ピックアップ装置に設けたホログラムの構成および反射光の位置を示す説明図
【図５】光ディスクドライブについて、その要部構成の一例を示す機能ブロック図
【図６】光ディスクドライブを使用した情報処理装置の概略図
【図７】光ディスクドライブ装置の光ピックアップ装置に係る光学系を示す概略図
【図８】ホロピックアップの内部構成を示す側面図
【図９】ホログラムおよびホログラム上での光ディスクからの反射光の様子を示す説明図
【図１０】受光素子および受光素子上での光ディスクからの反射光の様子を示す説明図
【符号の説明】
１  半導体レーザ
２  ガラス板
３  グレーティング
４，２１，２２，２３  ホログラム
５  ホロピックアップ
６  コリメートレンズ
７  対物レンズ
８  光ディスク
９  受光素子
１０  反射光
【図１】
2004295925.tif 000003
【図２】
2004295925.tif 000004
【図３】
2004295925.tif 000005
【図４】
2004295925.tif 000006
【図５】
2004295925.tif 000007
【図６】
2004295925.tif 000008
【図７】
2004295925.tif 000009
【図８】
2004295925.tif 000010
【図９】
2004295925.tif 000011
【図１０】
2004295925.tif 000012